(57)【要約】【課題】異なる種類の用紙が混在する印刷処理で、消費電力の増大を抑制しつつ処理効率を向上する。【解決手段】情報処理装置は、異なる用紙を用いた画像形成が混在する複数の印刷ジョブを取得するジョブ取得部と、前記印刷ジョブの各々について、前記印刷ジョブの実行時の定着部又は乾燥部の温度である温度条件と用紙情報の少なくとも一方を特定する解析部と、複数の前記印刷ジョブを、同じ温度条件または同じ用紙情報のジョブが連続して実行されるように並べ替える並べ替え部と、並び替え後の順序で、前記印刷ジョブを画像形成装置に出力するジョブ出力部と、を有する。【選択図】図４
2020113115.tif 000002
【特許請求の範囲】
【請求項１】
異なる用紙を用いた画像形成が混在する複数の印刷ジョブを取得するジョブ取得部と、
前記印刷ジョブの各々について、前記印刷ジョブの実行時の定着部又は乾燥部の温度である温度条件と用紙情報の少なくとも一方を特定する解析部と、
複数の前記印刷ジョブを、同じ温度条件または同じ用紙情報のジョブが連続して実行されるように並べ替える並べ替え部と、
並び替え後の順序で、前記印刷ジョブを画像形成装置に出力するジョブ出力部と、
を有する情報処理装置。
【請求項２】
前記解析部は、前記印刷ジョブの各々について定着温度を特定し、
前記並べ替え部は、同じ定着温度のジョブが連続し、かつ前記定着温度が低い順に並ぶように前記印刷ジョブを並べ替えることを特徴とする請求項1に記載の情報処理装置。
【請求項３】
前記並べ替え部は、同じ用紙サイズのジョブが連続し、かつ前記温度条件の低い順に並ぶように前記印刷ジョブを並べ替えることを特徴とする請求項1に記載の情報処理装置。
【請求項４】
前記画像形成装置から前記画像形成装置に関する情報であるプリンタ情報を取得するプリンタ情報取得部、
をさらに有し、
前記解析部は、前記プリンタ情報に基づいて、前記印刷ジョブの中から、前記画像形成装置の条件に適合しない除外ジョブを特定し、
前記並べ替え部は、前記除外ジョブについて、再並べ替えすることを特徴とする請求項１〜３のいずれか１項に記載の情報処理装置。
【請求項５】
前記ジョブ出力部は、前記除外ジョブを、再並べ替え後の順番で第2の画像形成装置に出力することを特徴とする請求項４に記載の情報処理装置。
【請求項６】
前記条件は、前記画像形成装置にセットされている用紙のサイズ、用紙の種類、用紙の枚数の少なくとも一つであり、
前記並べ替え部は、前記画像形成装置にセットされる用紙が交換または補充されて新プリンタ情報が取得されたときに、再並べ替えすることを特徴とする請求項４に記載の情報処理装置。
【請求項７】
除外された前記印刷ジョブのリストと、再並べ替え情報の少なくとも一方を表示情報として出力する表示情報出力部、
をさらに有することを特徴とする請求項4〜６のいずれか1項に記載の情報処理装置。
【請求項８】
前記解析部は、出力された前記印刷ジョブの実行中に新たな印刷ジョブを受け取ったときに、前記新たな印刷ジョブの温度条件が、現在実行中の処理温度以上であるか否かを判断し、
前記並べ替え部は、前記新たな印刷ジョブの温度条件が現在実行中の前記処理温度以上である場合に再並べ替えを行い、
前記ジョブ出力部は、前記新たな印刷ジョブと再並び替え後の順序を出力することを特徴とする請求項１〜７のいずれか１項に記載の情報処理装置。
【請求項９】
請求項１〜８のいずれか１項に記載の情報処理装置と、
前記画像形成装置と、
を含む画像形成システム。
【請求項１０】
異なる用紙を用いた画像形成が混在する複数の印刷ジョブを取得し、
前記印刷ジョブの各々について、前記印刷ジョブの実行時の画像形成装置の定着部または乾燥部の温度である温度条件と用紙情報の少なくとも一方を特定し、
複数の前記印刷ジョブを、同じ温度条件または同じ用紙情報のジョブが連続して実行されるように並べ替え、
並び替え後の順番で、前記印刷ジョブを前記画像形成装置に出力する
画像形成方法。
【請求項１１】
情報処理装置に、
異なる用紙を用いた画像形成が混在する複数の印刷ジョブを取得する手順と、
前記印刷ジョブの各々について、前記印刷ジョブの実行時の画像形成装置の定着部または乾燥部の温度である温度条件と用紙情報の少なくとも一方を特定する手順と、
複数の前記印刷ジョブを、同じ温度条件または同じ用紙情報のジョブが連続して実行されるように並べ替える手順と、
並び替え後の順番で、前記印刷ジョブを前記画像形成装置に出力する手順と、
を実行させるプログラム。
【発明の詳細な説明】
【技術分野】
【０００１】
本発明は、情報処理装置、画像形成システム、画像形成方法、及びプログラムに関する。
【背景技術】
【０００２】
大量の印刷ジョブを処理する際に、用紙の種類、厚さ、加工の程度などが異なる多様な媒体が混在していることがある。多様な媒体が混在した状態で印刷処理を行うと、電子写真方式の印刷では、用紙の種類や厚さ、加工の程度などに応じて、印刷機の定着ローラーの温度を変える必要がある。インクジェット方式の場合は、用紙の厚さ、Ｃ（シアン）、Ｍ（マゼンタ）、Ｙ（イエロー）、Ｋ（ブラック）、Ｓ（クリアー、メタリック、蛍光色等の特色）のインク液量等に応じてドライ処理の調整が必要になることもある。
【０００３】
電子写真方式の印刷で、異なる定着圧力の用紙が混在する場合に、同じ圧力を要する用紙が連続して定着処理を受けるように印刷順序を入れ替える技術が提案されている（たとえば、特許文献１参照）。
【０００４】
同じく電子写真方式の印刷で、省エネルギー状態のときに印刷データを受け取った場合、まず定着手段を設定可能な最も高い定着温度に向かって昇温し、昇温途中に印刷内容に応じて決定された定着温度の指示を受け取って、指示された温度へと制御する手法が知られている（たとえば、特許文献２参照）。
【発明の概要】
【発明が解決しようとする課題】
【０００５】
用紙の種類、厚さ、加工の程度などに応じて処理温度を制御することで、用いる用紙に最も適した温度で画像を形成することができる。しかし、連続する印刷ジョブに異なる用紙が混在している場合に、用紙に合わせて処理温度を上下させると、所望の温度になるまでに時間がかかり、また、消費電力が大きくなる。
【０００６】
本発明は、異なる種類の用紙が混在する印刷処理で、消費電力の増大を抑制しつつ処理効率を向上することのできる技術を提供することを目的とする。
【課題を解決するための手段】
【０００７】
上記目的を実現するために、画像形成装置よりも手前の段階で、消費電力と処理時間が最小になるように印刷ジョブを並べ替える。具体的には、情報処理装置は、
異なる用紙を用いた画像形成が混在する複数の印刷ジョブを取得するジョブ取得部と、
前記印刷ジョブの各々について、前記印刷ジョブの実行時の定着部または乾燥部の温度である温度条件と用紙情報の少なくとも一方を特定する解析部と、
複数の前記印刷ジョブを、同じ温度条件または同じ用紙情報のジョブが連続して実行されるように並べ替える並べ替え部と、
並び替え後の順序で、前記印刷ジョブを画像形成装置に出力するジョブ出力部と、
を有する。
【発明の効果】
【０００８】
上記の構成により、異なる種類の用紙が混在する印刷処理で、消費電力の増大を抑制しつつ処理効率を向上することができる。
【図面の簡単な説明】
【０００９】
【図１】実施形態の画像形成システムの全体図である。
【図２】ジョブコントローラを情報処理装置に置くときのハードウエア構成図である。
【図３】ジョブコントローラの機能ブロック図である。
【図４】第１実施形態のジョブコントローラの動作を説明する概念図である。
【図５】用紙情報から決まる定着温度を説明する図である。
【図６】用紙情報から決まる定着温度の別の例である。
【図７】印刷ジョブの並べ替えの一例を示す図である。
【図８】第１実施形態の並べ替えの効果を示す図である。
【図９】第１実施形態の並べ替えの効果を示す図である。
【図１０】ジョブの並べ替え結果と進捗状況を示す表示画面の一例である。
【図１１】第１実施形態の画像形成方法のフローチャートである。
【図１２】第１実施形態の変形例のフローチャートである。
【図１３】ジョブリストに印刷ジョブを追加したときの表示例を示す図である。
【図１４】第２実施形態のジョブコントローラの機能ブロック図である。
【図１５】第２実施形態のジョブコントローラの動作を説明する概念図である。
【図１６】ジョブコントローラが取得するトレイ情報の一例である。
【図１７】画像形成装置の条件を満たさないジョブの特定を説明する図である。
【図１８】未処理のジョブ一覧を表示する表示画面の一例である。
【図１９】第２実施形態の画像形成方法のフローチャートである。
【図２０】画像形成システムの変形例の模式図である。
【発明を実施するための形態】
【００１０】
図１は、実施形態の画像形成システム１００の全体図である。画像形成システム１００は、情報処理端末１０１と、デジタルフロントエンド（ＤＦＥ）１０２と、画像形成装置１０３と、サーバ１０４を含む。
【００１１】
情報処理端末１０１は、パーソナルコンピュータ（ＰＣ）、タブレット端末、スマートフォン等の情報処理端末であり、特許請求の範囲の「情報処理装置」に対応する。
【００１２】
ＤＦＥ１０２は、フロントエンドプロセッサの一種であり、情報処理端末１０１またはサーバ１０４から受け取る多様な印刷ジョブを、画像形成装置１０３での印刷処理に適した形態に変換する。ＤＦＥ１０２も、特許請求の範囲の「情報処理装置」に対応し得る。
【００１３】
画像形成装置１０３は、印刷機、複合機などであり、印刷媒体上に物理的な画像を形成して出力する。
【００１４】
サーバ１０４は、必ずしも画像形成システム１００に含まれていなくてもよく、ネットワークを介して接続される外部のサーバ、クラウド上のサーバ等であってもよい。
【００１５】
本発明に係るジョブコントローラ２００は、画像形成装置１０３よりも手前（上流）側の任意の機器に設けられる。図１の例では、ジョブコントローラ２００は情報処理端末１０１に配置されているが、ＤＦＥ１０２に配置されてもよい。ジョブコントローラ２００は、ＦＰＧＡ（Field Programmable Gate Array）などのロジックデバイスであってもよいし、情報処理端末１０１またはＤＦＥ１０２に組み込まれているプロセッサの一部であってもよい。あるいは、後述するようにプログラムによって実現されてもよい。
【００１６】
ジョブコントローラ２００は、定着温度などの処理温度の異なる多様な用紙が混在している印刷ジョブで、同じ温度で処理される用紙が連続して処理されるように、印刷ジョブの順序を調整する。一つの態様では、同じ定着温度のジョブをひとまとめにし、かつ定着温度の低い順に並べ替える。
【００１７】
このような並べ替えを行うことで、温度変更の回数が大幅に減るため、印刷処理にかかるトータルの時間を短縮することができ、かつ温度変更にともなう電力消費を低減できる。この結果、大量の印刷ジョブの処理効率を向上し、かつ画像形成装置１０３の消費電力の増大を抑制することができる。
【００１８】
図２は、ジョブコントローラ２００が情報処理端末１０１に配置されるときのハードウエア構成図である。
【００１９】
情報処理端末１０１は、ＣＰＵ（Central Processing Unit）２５１、リードオンリーメモリ（ＲＯＭ）２５２、ランダムアクセスメモリ（ＲＡＭ）２５３、補助記憶装置２５４、インタフェース（Ｉ／Ｆ）２５５、入力装置２５６、及び出力装置２５７を有する。これらの装置は、システムバス２５８によって相互に接続されている。
【００２０】
ＣＰＵ２５１は、情報処理端末１０１の全体の動作と各装置の動作を制御し、主記憶装置であるＲＡＭ２５３の作業領域を用いて必要な演算、データ加工等を行う。ＲＡＭ２５３は、ＣＰＵ２５１に組み込まれていてもよい。
【００２１】
ＣＰＵ２５１はまた、主記憶装置であるＲＯＭ２５２、または補助記憶装置２５４に保存された各種のプログラムを実行する。ＲＯＭ２５２または補助記憶装置２５４にプログラムを保存してＣＰＵ２０１に実行させることで、ジョブコントローラ２００を実現してもよい。
【００２２】
ＲＯＭ２５２は、ＣＰＵ２５１の動作に必要な各種のパラメータ、プログラム等を保存する。補助記憶装置２５４は、ハードディスクドライブ（ＨＤＤ）、ソリッドステートディスク（ＳＤＤ）などのストレージであり、長期的に大容量のデータを保存する。
【００２３】
Ｉ／Ｆ２５５は、外部機器を情報処理端末１０１に接続してデータの入出力を行うためのインタフェースである。外部機器は、ＤＦＥ１０２、画像形成装置１０３、サーバ１０４等を含む。Ｉ／Ｆ２５５は、ネットワーク等を介して外部機器との間でデータの送受信を行ってもよい。外部機器が無線通信機能を有する場合、Ｉ／Ｆ２５５は短距離、近距離等の無線通信を行う無線インタフェースであってもよい。
【００２４】
ジョブコントローラ２００がＤＦＥ１０２に配置される場合は、ＤＦＥ１０２は図２のハードウエア構成を有し、Ｉ／Ｆ２５５によって外部の情報処理端末１０１、画像形成装置１０３等と接続される。
【００２５】
＜第１実施形態＞
図３は、第１実施形態のジョブコントローラ２００Ａの機能ブロック図である。ジョブコントローラ２００Ａは、ジョブ取得部２０１と、ジョブ解析部２０２Ａと、ジョブ並べ替え部２０３と、ジョブ出力部２０４を有する。
【００２６】
ジョブコントローラ２００Ａが情報処理端末１０１に配置されている場合、ジョブ取得部２０１は、印刷ジョブをユーザ入力、あるいはネットワークを介してサーバ１０４から取得する。ジョブコントローラ２００ＡがＤＦＥ１０２に配置されている場合は、ジョブ取得部２０１は印刷ジョブを情報処理端末１０１から受け取ってもよいし、情報処理端末１０１の指示により直接サーバ１０４から受け取ってもよい。
【００２７】
ジョブ解析部２０２Ａは、印刷ジョブの用紙情報を解析して、そのジョブに必要とされる定着温度を決定する。
【００２８】
ジョブ並べ替え部２０３は、定着温度に基づいて印刷順序を並べ替える。並べ替えの際に、定着温度に加えて、用紙サイズ、用紙の種類、厚さ等の用紙情報、片面印刷か両面印刷か等の印刷情報の全部または一部を、並べ替えの基礎に用いてもよい。
【００２９】
ジョブ出力部２０４は、並べ替えられた順序で印刷ジョブを出力する。
【００３０】
図４は、第１実施形態でジョブコントローラ２００Ａが行う動作の概念図である。図４では、ＤＦＥ１０２にジョブコントローラ２００Ａが配置されることを想定している。ジョブ取得部２０１は、印刷ジョブについての書誌情報と、印刷データを取得する。
【００３１】
書誌情報は、用紙に関する情報（「用紙情報」とする）と、片面／両面などの印刷様式、印刷部数、印刷完了限等の管理情報を含む。用紙情報には、用紙の名称、大きさ、厚さ、坪量、用紙の種別（塗工紙、非塗工紙など）等が含まれる。書誌情報は、一例としてＸＭＬ形式のデータであるが、これに限定されず、ＨＴＭＬ形式やテキスト形式であってもよい。
【００３２】
印刷データは、紙等の媒体上に印刷される具体的な内容を含む。印刷データは、一例としてＰＤＦ形式のデータで入力される。他の形式の画像データであってもよいが、ＰＤＦは実際に印刷されるイメージを電子ファイルに保存したものなので、画像形成装置１０３への入力データに変換しやすい。
【００３３】
書誌情報と印刷データは、同じソースから入力されてもよいし、別々のソースから入力されてもよい。たとえば、書誌情報を情報処理端末１０１から受け取り、印刷データをサーバ１０４から受け取ってもよい。顧客からの印刷注文をサーバ１０４で管理している場合は、情報処理端末１０１からサーバ１０４への転送命令に応答して、印刷データと書誌情報が対応づけられた印刷ジョブを、サーバ１０４からジョブコントローラ２００Ａに供給してもよい。
【００３４】
あるいは、一定量の印刷ジョブをサーバ１０４から情報処理端末１０１にダウンロードして、情報処理端末１０１からジョブコントローラ２００Ａに画像データと書誌情報のリストを供給してもよい。
【００３５】
ジョブ解析部２０２Ａは、入力された書誌情報を解析して、ジョブごとに定着温度を決定する。定着温度は、用紙の厚さ、坪量、用紙種別等の特性から決定することができる。
【００３６】
図５は、用紙情報から決まる定着温度を説明する図である。この例では、ジョブ解析部２０２Ａは、坪量及び用紙種別と定着温度の関係を示すテーブル２１１を有している。坪量は、用紙の単位重さ（gsm）が大きくなるほど定着温度が高くなる。坪量が大きいということは、用紙の厚さが厚いか、または紙の密度が高い。この場合、坪量が小さい用紙よりもトナー画像の定着温度が高い。
【００３７】
用紙の種別として、上質紙、微塗工紙、塗工紙などがある。上質紙は、表面加工がされていない化学パルプ配合が１００％の紙である。塗工紙は表面がコートされており、非塗工紙と比較して光沢があり平滑である。微塗工紙は、塗工紙よりも少ない量の塗料でコートされた紙である。表面塗装の程度によって、定着温度が変わり、非塗工紙、微塗工紙、塗工紙の順で定着温度が高くなる。
【００３８】
最適な定着温度は、画像形成装置１０３ごとに異なる場合があるので、あらかじめ使用する画像形成装置１０３で、用紙ごとの定着温度を決定しておくことが望ましい。たとえば、トナーの融点以上の温度から５℃きざみで、実際に使用する用紙に、定着性を確認するためのパターン印刷を複数枚行う。このとき、用紙の材質などに起因した搬送性の問題で紙詰まりが発生した場合は、この用紙を不適合として、ジョブリストから排除してもよい。
【００３９】
テスト印刷したパターンに対して、布及び針を使ってこすり、用紙からトナーが剥がれ落ちないかどうかを確認し、トナーが剥がれ落ちた温度は不適格として、１ステップ温度を上げて同じテストを行う。また、その処理温度で用紙にカールや折れ曲がりといったダメージがないかを確認し、ダメージが発生する温度は不適合とする。
【００４０】
テスト印刷でダメージがなく、かつトナーが剥がれない最低の温度を、その用紙の定着温度として決定し、テーブル２１１に記録する。
【００４１】
図６は、用紙情報から決まる定着温度を説明する別の図である。この例では、ジョブ解析部２０２Ａは、用紙名（商品名）と定着温度を対応付けたテーブル２１２を有する。顧客から印刷の注文がある場合、商品名で用紙が指定されることも多い。たとえば、用紙銘柄Ａと用紙銘柄Ｂは上質紙であるが坪量が異なる商品である。用紙銘柄Ｃと用紙銘柄Ｄはともに塗工紙であるが、坪量が異なる商品である。
【００４２】
なお、テーブル情報は図５，６の例に限定されず、用紙情報から定着温度を決定できる任意の形式で温度情報を持っていてもよい。
【００４３】
図４に戻って、ジョブ解析部２０２Ａは、印刷ジョブごとに用紙情報を解析し、テーブル２１１または２１２を参照して、定着温度を決定し、各印刷ジョブに温度情報を追加して印刷ジョブのリストをジョブ並べ替え部２０３に渡す。
【００４４】
ジョブ解析部２０２Ａが印刷ジョブのリストをジョブ並べ替え部２０３に送信するタイミングとしては、所定数の印刷ファイルまたは印刷ジョブが蓄積されたとき、印刷物の合計のページ数が所定の枚数に達したとき、所定の時間がきたとき（１時間ごと、２４時間ごと等）、などがある。あるいは、現在蓄積されているジョブを所定のアルゴリズムに従って最適な順に並べ替えたときにかかる印刷時間を推定し、推定される印刷時間が閾値に達した場合に、ジョブリストをジョブ並べ替え部２０３に渡してもよい。
【００４５】
ジョブ並べ替え部２０３は、受け取ったジョブを印刷条件ごとにフィルタリング（分類）して並べ替える。印刷条件は、図４の例では、定着温度と、用紙サイズである。好ましい態様では、定着温度の低い順に並び替える。
【００４６】
ジョブ並べ替え部２０３は、用紙サイズ（Ａ３，Ａ４，Ａ５など）に応じてグループ分けしてスプーリングし、各スプールで定着温度の低い順に並べ替える。用紙情報に基づくグループ分けと、定着温度に基づく並び替えは、必ずしも図４の順序でなくてもよい。まず、定着温度ごとにグループ分けして温度の低い順に並び替えた後に、それぞれの温度グループ内で用紙サイズごとに分類してもよい。
【００４７】
用紙サイズに基づく分類は必須ではないが、各温度条件で、複数の印刷ジョブを同じ用紙サイズで連続して印刷するので、用紙切り換えの時間ロスが低減される。これにより、トータルの処理時間をさらに低減することができる。
【００４８】
ジョブ並べ替え部２０３は、ジョブ解析部２０２Ａと協働して、並べ替え後の印刷所要時間を推定して、印刷完了予定時刻を出力してもよい。印刷完了予定時刻は、ジョブコントローラ２００Ａから情報処理端末１０１に出力され、表示されてもよい。
【００４９】
定着温度とともに並べ替えに用いられる条件は用紙サイズに限定されず、用紙の種別であってもよい。また、用紙の属性のすべてを並べ替えの基礎にしてもよい。ここでいう用紙の「属性」は、用紙のサイズ、銘柄、厚さ、坪量など、用紙そのものが持つ属性であって、その用紙に対する処理条件（処理温度など）は含まないものとする。
【００５０】
ジョブ出力部２０４は、並べ替え後の順番で、画像形成装置１０３にＰＤＦデータを順次出力する。なお、出力されるＰＤＦデータは、ＤＦＥ１０２によって、画像形成装置１０３での印刷に適した形式に変換されているものとする。
【００５１】
図７は、印刷ジョブの並べ替えの一例を示す。左側は、ジョブ並べ替え部２０３に入力されるジョブリスト、右側は並べ替え後のジョブリストである。入力されたジョブリストは、受付番号順、あるいはサーバ１０４からの転送順にジョブが並べられている。それぞれのジョブに対応して、書誌情報と印刷データ（ＰＤＦ等）が紐づけられている。
【００５２】
入力された順番では、用紙の銘柄がばらばらであり、定着温度が上下することになる。ジョブ並べ替え部２０３は、同じ銘柄の用紙を使うジョブごとにグループ分けし、用紙グループを定着温度の低い順に並べる。用紙銘柄Ａが最も定着温度が低く、用紙銘柄Ｂ，Ｃと進むにつれて、定着温度が高くなっていく。
【００５３】
この並べ替えにより、定着部の温度制御に要する消費電力が最小化され、かつ印刷にかかる時間が最短になる。
【００５４】
図８は、第１実施形態の効果を示す図である。図８（Ａ）はジョブの並べ替えを行わずに、定着部の温度を変化させたときにかかる印刷時間を示す。たとえば、指定された用紙の種類に応じて定着部の温度を１００℃→２００℃→１００℃→２００℃と変化させる場合、２００℃から１００℃に下げるのに７００秒かかる。ここから再度２００℃に昇温するために、７２秒必要である。トータルの印刷時間がかかるだけではなく、温度の上げ下げのために要する電力量も増大する。
【００５５】
具体的には、１００℃→２００℃（７２秒、１００ｗｈ）→１００℃（７００秒、７００ｗｈ）→２００℃（７２秒、１００ｗｈ）で、トータルで８４４秒、２７０ｗｈの電力が消費される。
【００５６】
図８（Ｂ）は、実施形態の方法でジョブ並べ替えを行ったときの処理時間を示す。同じ温度の処理をまとめたため、定着部の温度は、１００℃→１００℃→２００℃→２００℃と変化する。定着部の温度を１００℃から２００℃に一度昇温すればよいので、温度制御は７２秒、１００ｗｈの電力消費で済む。また、昇温よりも降温に時間がかかるので、処理温度を低い方から高い方に並べるのが有利である。
【００５７】
図９は、第１実施形態の効果を示す別の図である。図９（Ａ）はジョブの並べ替えを行わずに、定着部の温度を変化させたときにかかる印刷時間を示す。指定された用紙の種類等に応じて定着部の温度を１５０℃→１７０℃→１５５℃→１７０℃と変化させる場合、１５５℃から１７０℃に上げるのに４０秒かかり、１７０℃から１５５℃に下げるのに６０秒かかる。
【００５８】
図９（Ｂ）は、実施形態の方法でジョブ並べ替えを行ったときの処理時間を示す。同じ温度の処理をまとめたため、定着部の温度は、１５５℃→１５５℃→１７０℃→１７０℃と変化する。すなわち、定着部の温度を１５５℃から１７０℃に一度昇温すればよい。また、昇温よりも降温に時間がかかるので、処理温度を低い方から高い方に並べるのが有利である。
【００５９】
ジョブ並べ替え部２０３によって並べ替えられたジョブは、情報処理端末１０１の表示画面、あるいはＤＦＥ１０２のモニタ画面に表示されてもよい。情報処理端末１０１がスマートフォンやタブレット端末のような携帯端末である場合、オペレータ（印刷担当者）は画像形成装置１０３やＤＦＥ１０２の近傍にいなくても、ジョブの印刷順序を確認することができる。
【００６０】
図１０は、ジョブの並べ替え結果と進捗状況を示す表示画面の一例である。異なる銘柄の用紙を用いる複数の印刷ジョブが、同じ定着温度で処理される用紙銘柄ごとにまとめられ、かつ、定着温度の低い順に並べられている。処理温度の最も低い用紙銘柄Ｃの印刷ジョブがすべて終わるまで、定着部の温度を上げる必要がない。処理温度が２番目に低い用紙銘柄Ｄの印刷ジョブに入るときは、最小の昇温量と昇温時間で以降することができる。昇温後は、用紙銘柄Ｄを用いるジョブが連続する間、温度は一定なので、画像形成装置１０３は同じ状態で安定して複数の印刷ジョブを実行できる。
【００６１】
最適な順序に並べ替えられたジョブリストとともに進捗状況をバー表示することで、オペレータは複数の印刷ジョブの進捗状況を知ることができる。この表示画面に、ジョブコントローラ２００Ａによって推定された印刷完了予定時刻を併せて表示してもよい。
【００６２】
図１１は、第１実施形態の画像形成方法のフローチャートである。この処理フローは、ジョブコントローラ２００Ａによって実行される。
【００６３】
まず、印刷ジョブを取得する（Ｓ１１）。印刷ジョブは、情報処理端末１０１から取得してもよいし、サーバ１０４から取得してもよい。
【００６４】
取得したジョブごとに、処理温度を特定する（Ｓ１２）。トナー印刷の場合は、各印刷ジョブに適した定着温度である。インクジェット方式の場合は、各印刷ジョブにおけるドライ処理（ヒータによる加熱や送風機による送風により用紙上のインクを乾燥させる乾燥部が実行する処理）の要否とその温度であってもよい。
【００６５】
次に、特定した処理温度に基づいて、ジョブの実行順序を決定する（Ｓ１３）。トナー印刷の場合は、定着温度の低いほうから順に並べるのが望ましい。このとき、処理効率の観点から同じ温度ごとに同じ種類の用紙が連続することが望ましい。同じ処理温度、同じ種類の用紙の中では、受付順序の早い順に並べてもよい。
【００６６】
ドライ処理の場合も、送風をオンにする場合よりも降温に時間がかかるので、送風オフ、常温送風、高温送風の順に並べ替えるのが望ましい。また、温度ごとに、同じ用紙の種類が連続するように並び替えるのが望ましい。
【００６７】
この画像形成方法により、複数の用紙が混在する印刷ジョブでトータルの処理時間を短縮し、消費電力の増大を抑制することができる。
【００６８】
＜変形例＞
図１２は、第１実施形態の変形例を示すフローチャートである。画像形成装置１０３による印刷ジョブの実行中に、ジョブコントローラ２００Ａが新たな印刷ジョブを受け立った場合、処理温度の関係でその印刷ジョブの割り込みが可能な場合は、動的にジョブの並べ替えを行う。
【００６９】
Ｓ１１とＳ１２は、図１１のＳ１１及びＳ１２と同じである。すなわち、印刷ジョブを取得して（Ｓ１１）、各ジョブの処理温度を特定する（Ｓ１２）。処理温度が低い順に、かつ用紙の種類、サイズ等が同じ印刷ジョブが連続するように、印刷ジョブを並べ替えて印刷データを画像形成装置１０３に出力する（Ｓ２３）。
【００７０】
画像形成装置１０３による印刷ジョブの実行中に、新たなジョブが到着した場合、新たなジョブの処理温度が現在実行中の印刷の処理温度と同じか、または高い温度であるか判断する（Ｓ２４）。現在実行中の印刷温度よりも低い処理温度であれば（Ｓ２４でＮＯ）、そのまま、次回のジョブリストの作成と並べ替えまで、フォルダに保存しておく。
【００７１】
新たなジョブの処理温度が現在実行中の処理温度以上の場合は（Ｓ２４でＹＥＳ）、新たなジョブを対応するスプールに追加して、動的に並べ替えを実行し、並べ替え後の順序と新たなジョブの印刷データを画像形成装置１０３に出力する（Ｓ２５）。
【００７２】
任意で、並び替え後に全ジョブ完了までにかかる最速の処理時間または平均の処理時間を計算して表示してもよい（Ｓ２６）。
【００７３】
この方法により、印刷効率を落とさずに、処理できるジョブを迅速に処理することができる。
【００７４】
図１３は、ジョブリストに印刷ジョブを追加したときの表示例を示す図である。この表示は、情報処理端末１０１の表示画面に表示されてもよいし、ＤＦＥ１０２のモニタ画面に表示されてもよい。
【００７５】
実行済みのジョブについては、図１０と同様に進捗状況がバー表示されている。この状態で、現在実行中のジョブの処理温度と同じか、それよりも高い処理温度のジョブが追加されたときに、新たなジョブが追加された旨が表示され、再並べ替えの順序で全ジョブ終了までにかかる時間が表示されている。
【００７６】
新たに到着したジョブの処理温度に応じて、動的かつ自動的にジョブの並べ替えが行われるので、処理効率を高く維持し、かつ消費電力の増大を抑制することができる。オペレータは、新たな印刷ジョブの書誌詳細を意識していなくても、新たなジョブが現在の印刷プロセスに組み込まれたこと、並べ替え後にかかる時間などを知ることができる。
【００７７】
＜第２実施形態＞
図１４は、第２実施形態のジョブコントローラ２００Ｂの機能ブロック図である。ジョブコントローラ２００Ｂは、ジョブ取得部２０１と、ジョブ解析部２０２Ｂと、ジョブ並べ替え部２０３と、ジョブ出力部２０４と、プリンタ情報取得部２０５と、表示情報出力部２０６を有する。
【００７８】
ジョブ取得部２０１は、情報処理端末１０１、またはサーバ１０４から印刷ジョブを取得する。
【００７９】
プリンタ情報取得部２０５は、画像形成装置１０３に関する情報、たとえば、給紙トレイにセットされている用紙の種類、厚さ等の情報を取得する。
【００８０】
ジョブ解析部２０２Ｂは、印刷ジョブの用紙情報を解析して、各ジョブに必要とされる定着温度を特定する。また、そのジョブが画像形成装置１０３の条件を満たしているかどうかを判断する。画像形成装置１０３の条件は、給紙トレイにセットされている用紙の種類、用紙の枚数などである。
【００８１】
画像形成装置１０３に現在セットされていない用紙を用いるジョブや、指定の印刷枚数が現在セットされている用紙枚数を超える場合、そのジョブを並べ替え対象からいったん排除する。画像形成装置１０３の条件を満たす印刷ジョブについて、温度情報を付加してジョブ並べ替え部２０３に供給する。
【００８２】
印刷ジョブをジョブ解析部２０２Ｂからジョブ並べ替え部２０３に送信するタイミングとしては、画像形成装置１０３の条件を満たす印刷ジョブが所定の数に達したとき、印刷物の合計のページ数が所定の枚数に達したとき、所定の時間がきたとき（１時間ごと、２４時間ごと等）、などがある。あるいは、画像形成装置１０３の条件を満たすジョブを所定のアルゴリズムに従って最適な順に並べ替えたときに要する印刷時間を推定し、推定印刷時間が閾値に達したときにジョブリストをジョブ並べ替え部２０３に渡してもよい。
【００８３】
画像形成装置１０３の条件を満たしておらず、いったんジョブリストから外されたジョブは、別のジョブリストとして、ジョブ並べ替え部２０３に供給されてもよい。
【００８４】
たとえば、画像形成装置１０３の条件を満たすすべてのジョブが完了して、有限の給紙トレイ内の用紙が、別種類の用紙に交換されたとき、あるいは給紙トレイに十分な枚数の用紙が補充されたとき、ジョブ解析部２０２Ｂはプリンタ情報取得部２０５から、新たなプリンタ情報を受け取る。新たなプリンタ情報に基づいて、いったんジョブリストから外された印刷ジョブについて定着温度を特定し、第２ジョブリストとして、ジョブ並べ替え部に供給する。
【００８５】
あるいは、第２のジョブリストに関し、別の画像形成装置の条件を満たすか否かを判断して、条件の適合する画像形成装置へジョブを振り分けてもよい。
【００８６】
ジョブ並べ替え部２０３は、画像形成装置１０３の条件を満たす印刷ジョブについて、定着温度に基づいて印刷順序を並べ替える。並べ替えの際に、定着温度に加えて、用紙サイズ、用紙の種類、厚さ等の用紙情報、片面印刷か両面印刷か等の印刷情報の全部または一部を、並べ替えの基礎に用いてもよい。ジョブ解析部２０２Ｂから第２ジョブリストを受け取ったときは、第２ジョブリストの中で、定着温度、用紙種別等に基づいて印刷順序を並べ替える。
【００８７】
ジョブ出力部２０４は、並べ替えられた順序で画像形成装置１０３に印刷ジョブを出力する。
【００８８】
表示情報出力部２０６は、画像形成装置１０３の条件を満たさないとしてジョブリストからはずされたジョブに関する表示情報を出力する。表示情報は情報処理端末１０１の表示画面に出力されてもよいし、ＤＦＥ１０２のモニタディスプレイに出力されてもよい。
【００８９】
この構成により、有限のトレイ数、用紙枚数を有する画像形成装置１０３で、多種多様な印刷ジョブを最も効率の良いやり方で処理することができる。オペレータは、各ジョブの詳細な書誌内容を意識していなくても、画像形成装置１０３の条件を満たすジョブリストの完了後に、用紙を交換、補充する等して、第２のジョブリストを実行させることができる。ジョブコントローラ２００Ｂが情報処理端末１０１に配置されている場合は、は第２のジョブリストについて、自動的に別のＤＦＥと画像形成装置に処理を振り分けることができる。
【００９０】
図１５は、第２実施形態でジョブコントローラ２００Ｂが行う動作の概念図である。図１５ではＤＦＥ１０２にジョブコントローラ２００Ｂが配置されることを想定している。第１実施形態と同じ機能には同じ番号を付けて、重複する説明を省略する。
【００９１】
ジョブ取得部２０１は、印刷ジョブについての書誌情報と、印刷データを取得する。書誌情報は、用紙銘柄、用紙の種別、厚さ等の用紙情報とともに、片面／両面などの印刷様式、印刷部数、印刷完了限等の管理情報を含む。書誌情報は、一例としてＸＭＬ形式のデータであるが、これに限定されず、ＨＴＭＬ形式やテキスト形式であってもよい。
【００９２】
印刷データは、紙等の印刷媒体上に印刷される具体的な内容を含む。印刷データは、一例としてＰＤＦ形式のデータで入力される。他の形式の画像データであってもよい。
【００９３】
書誌情報と印刷データは、同じソースから入力されてもよいし、別々のソースから入力されてもよい。
【００９４】
プリンタ情報取得部２０５は、画像形成装置１０３の条件について報プリンタ情報を取得する。プリンタ情報は、給紙トレイにセットされている用紙の種類、枚数等を含む。
【００９５】
ジョブ解析部２０２Ｂは、入力された書誌情報とプリンタ情報を解析して、ジョブごとに、画像形成装置１０３の条件を満たしているか否かを判断し、条件を満たすジョブについて定着温度を特定する。定着温度は、プリンタ情報に含まれていてもよいし、図５または図６に示すテーブル情報を利用してもよい。
【００９６】
画像形成装置１０３の条件を満たしていないジョブについては、ジョブリストから除外して、表示情報出力部２０６に通知する。表示情報出力部２０６は、除外されたジョブに関する情報を、ＤＦＥ１０２のモニタディスプレイ、あるいは情報処理端末１０１に出力する。
【００９７】
ジョブ解析部２０２Ｂは、画像形成装置１０３の条件を満たす印刷ジョブについて、処理温度に関する情報を付加して、ジョブ並べ替え部２０３に出力する。また、画像形成装置１０３の条件に適合しないとして排除されたジョブについて、適切なタイミングで、再度、条件充足の判定と定着温度の特定を行う。適切なタイミングとは、ジョブリストの出力と同時、または所定の時間経過後、あるいはプリンタ情報取得部２０５から新たなプリンタ情報を受け取ったとき等である。
【００９８】
ジョブ並べ替え部２０３は、受け取ったジョブを印刷条件ごとにフィルタリング（分類）して、最も時間ロスが少なくなる順番に並べ替える。たとえば、定着温度ごとにグループ分けして温度の低い順に並び替え、各温度グループ内で同じ用紙を用いる印刷ジョブが連続するように並べ替える。
【００９９】
ジョブ並べ替え部２０３は、ジョブ解析部２０２Ｂから、排除された印刷ジョブについての第２のジョブリストを受け取ったときは、第２のジョブリストについても同様の並べ替えを行う。第２のジョブリストの並べ替えの結果を、表示情報出力部２０６に供給してもよい。この場合、表示情報出力部２０６は、第２のジョブリストの並べ替え結果を、ＤＦＥ１０２のモニタディスプレイ、あるいは情報処理端末１０１に出力する。
【０１００】
ジョブ出力部２０４は、並べ替え後の順番で、画像形成装置１０３にＰＤＦデータを順次出力する。
【０１０１】
図１６は、プリンタ情報取得部２０５が取得するプリンタ情報の一例である。画像形成装置１０３のトレイ１〜６には、用紙銘柄Ａ〜Ｆの６種類の用紙がセットされている。これらの用紙には、塗工紙も非塗工紙も含まれており、それぞれ定着温度が対応付けられている。
【０１０２】
セットされていない用紙を用いるジョブが入力されても、画像形成装置１０３は印刷することができず、装置によっては印刷が一時停止してしまうことがある。
【０１０３】
図１７は、画像形成装置の条件を満たさないジョブの特定を説明する図である。図１７のジョブリストのうち、用紙銘柄Ｏと用紙銘柄Ｇは画像形成装置１０３にセットされていない。これらの用紙を用いるジョブ（ジョブ番号０３、０４、１２、１３）については、画像形成装置に印刷ジョブを送信せずに、未処理ジョブの一覧をオペレータに通知する。
【０１０４】
図１８は、未処理のジョブ一覧を表示する表示画面２１６の一例である。排除されたジョブとともに、ジョブリストから排除された理由を表示する。これとともに、ジョブ並べ替え部２０３において、未処理ジョブについての再並べ替えが行われている。
【０１０５】
これにより、用紙の交換・補充を最小限にし、かつ画像形成装置１０３の印刷停止を最小限にして、生産効率を向上することができる。
【０１０６】
図１９は、第２実施形態の画像形成方法のフローチャートである。この処理フローは、ジョブコントローラ２００Ｂによって実行される。
【０１０７】
ジョブコントローラ２００Ｂは、情報処理端末１０１またはサーバ１０４から印刷ジョブを取得し（Ｓ１１）、画像形成装置からプリンタ情報を取得する（Ｓ３１）。各印刷ジョブがプリンタ条件を満たすか否かを判断し、条件を満たさない印刷ジョブをジョブリストから除く（Ｓ３２）。プリンタ条件を満たすジョブごとに処理温度を特定し、処理温度に基づいてジョブを並べ替えて、画像形成装置にジョブを出力する（Ｓ３３）。
【０１０８】
プリンタ条件を満たさない未処理のジョブについて再度並べ替えを行い（Ｓ３４）、オペレータに未処理のジョブリストとその並べ替え情報を表示する（Ｓ３５）。
【０１０９】
一般的なカットシートのプリンタは、給紙トレイの数が３〜８程度であるが、印刷業者が取り扱う用紙の種類は１００種類を超える場合もある。これらすべての用紙を一台のカットシートプリンタにセットすることは現実的に困難である。
【０１１０】
印刷ジョブで指定される用紙が給紙トレイに入っていない場合は、印刷オペレータによって用紙の入れ替えが必要である。通常は、用紙切れの表示がなされて印刷オペレータに用紙の交換・補充作業が促されるが、その間は印刷が停止し、生産効率が低下する。
【０１１１】
第２実施形態では、画像形成装置１０３の条件に適合する印刷ジョブを優先的に画像形成装置１０３に送信し、排除されたジョブのリストを事前にオペレータに提示するとともに、未処理リストのジョブについて再度、処理温度に基づく並べ替えを行う。これにより用紙交換の頻度を最小にし、印刷の停止時間を最小限にして生産効率を向上できる。
【０１１２】
第２実施形態においても、処理温度順に印刷ジョブを実行する場合、用紙サイズが同じジョブが連続するように並べ替えてもよい。用紙サイズが同じジョブを、処理温度の低い順に印刷することで、画像形成装置１０３での消費電力を最小にし、かつ最速で出力することができる。画像形成装置１０３の排出トレイでも、同じサイズの用紙が連続して排出される方が、両面印刷等の装置内への搬送やステープリング等の加工、出力後の印刷物の移動、搬送等の点で有利である。
【０１１３】
インクジェット方式など、出力機器によっては、用紙サイズの切り換え、両面印刷のための切り替えなど、用紙搬送に関わる問題が顕著になる場合もあるので、同じ用紙サイズの印刷ジョブをまとめて並べ替えてもよい。
【０１１４】
＜画像形成システムの変形例＞
図２０は、変形例の画像形成システム１００Ａを示す。画像形成システム１００Ａは、複数の画像形成装置１０３−１〜１０３−３を用いてもよい。この場合、ジョブコントローラ２００を情報処理端末１０１に配置して、複数のＤＦＥ１０２−１〜１０２−３と接続してもよい。
【０１１５】
情報処理端末１０１は、ネットワークまたはクラウド上のサーバ１０４から印刷ジョブを一括してダウンロードする。ジョブコントローラ２００は、印刷ジョブの書誌情報と画像形成装置１０３−１〜１０３−２のプリンタ情報に基づいて、最も効率の良い処理手順となるように印刷ジョブを並べ替えてもよい。
【０１１６】
画像形成装置１０３−１にセットされていない用紙サイズや用紙種別を用いる印刷ジョブについては、画像形成装置１０３−２または１０３−３に振り分けてもよい。振り分けた後に、画像形成装置１０３ごとに印刷ジョブの並べ替えを行って、並べ替えたジョブリストを対応するＤＦＥ１０２に送信してもよい。
【０１１７】
以上、特定の実施形態に基づいて本発明を説明したが、本発明は上述した構成例に限定されない。たとえば、図１２の変形例を第２実施形態と組み合わせてもよい。この場合、印刷実行中に新たなジョブが到着したときに、画像形成装置１０３の条件（用紙サイズ、用紙種別等）を満たすか否かを判断し、条件を満たす場合に現在実行中の処理温度以上のジョブか否かを判断してジョブを追加してもよい。また、処理温度と用紙情報（用紙サイズ、種別、銘柄等）に加えて、印刷期限を並べ替えの基礎に用いてもよい。同じ定着温度で同じ用紙が連続して印刷される場合に、印刷期限の早い順に並べ替えてもよい。
【０１１８】
実施形態のジョブコントローラ２００をプログラムで実現してもよい。この場合は、プログラムはプロセッサに、
異なる用紙を用いた画像形成が混在する複数の印刷ジョブを取得する手順と、
前記印刷ジョブの各々について、前記印刷ジョブの実行時の画像形成装置の定着部または乾燥部の温度である温度条件と用紙情報の少なくとも一方を特定する手順と、
複数の前記印刷ジョブを、同じ温度条件または同じ用紙情報のジョブが連続して実行されるように並べ替える手順と、
並び替え後の順番で、前記印刷ジョブを前記画像形成装置に出力する手順と、
を実行させる。
【符号の説明】
【０１１９】
１００、１００Ａ  画像形成システム
１０１  情報処理端末（情報処理装置）
１０２  ＤＦＥ（情報処理装置）
１０３  画像形成装置
１０４  サーバ
２００、２００Ａ、２００Ｂ  ジョブコントローラ
２０１  ジョブ取得部
２０２、２０２Ａ、２０２Ｂ  ジョブ解析部
２０３  ジョブ並び替え部
２０４  ジョブ出力部
２０５  プリンタ情報取得部
２０６  表示情報出力部
【先行技術文献】
【特許文献】
【０１２０】
【特許文献１】特開２００９−０９２９８０号公報
【特許文献２】特許第５９５７８１１号
【図１】
2020113115.tif 000003
【図２】
2020113115.tif 000004
【図３】
2020113115.tif 000005
【図４】
2020113115.tif 000006
【図５】
2020113115.tif 000007
【図６】
2020113115.tif 000008
【図７】
2020113115.tif 000009
【図８】
2020113115.tif 000010
【図９】
2020113115.tif 000011
【図１０】
2020113115.tif 000012
【図１１】
2020113115.tif 000013
【図１２】
2020113115.tif 000014
【図１３】
2020113115.tif 000015
【図１４】
2020113115.tif 000016
【図１５】
2020113115.tif 000017
【図１６】
2020113115.tif 000018
【図１７】
2020113115.tif 000019
【図１８】
2020113115.tif 000020
【図１９】
2020113115.tif 000021
【図２０】
2020113115.tif 000022